(57)【要約】      （修正有）【課題】構成部品のシンプル化と低コストと使用上の安全性を兼ね備えたオリジナルな採血針構造を提供する。【解決手段】外筐体１０、ロック台２０、針台３０、蓄圧フレキシブルリセットユニット４０と安全スイッチユニットが備わり、該外筐体は内壁１１、収納空間１２、針孔１３と差込側部１４があり、該外筐体は内向きに中通しコンベックスリング縁１７があり、該内壁に広い錐状斜端面を有する解放用溝１６が設けられており、該外筐体の収納空間内に設けられた、移動可能なロック台が備わり、該ロック台は制御ヘッド２１とバー部２２を備えており、該バー部は縦向き槽室があり、それにより、該バー部に二つのフレキシブル解放シート２３が形成されるが、二つの該フレキシブル解放シートは対称に該解放用溝に設けられており、該フレキシブル解放シートの底部に設けられた突当て斜め縁２５は、該解放用溝の広い錐状斜端面に斜めに突当てていることを特徴とする。【選択図】図２
0003159463.tif 000002
【実用新案登録請求の範囲】
【請求項１】
内壁１１を有する外筐体１０が備わり、その内部に収納空間１２があり、該収納空間１２の両側に相対して設けられた針孔１３と差込側部１４があり、
広い錐状斜端面１５を有する解放用溝１６が備わり、該外筐体１０の内壁１１に内向きに突出した中通しコンベックスリング縁１７があり、該中通しコンベックスリング縁１７の近接した該外筐体１０の内壁１１に広い錐状斜端面１５が設けられており、それにより、該広い錐状斜端面１５と外筐体１０の内壁１１に解放用溝１６が形成されるようになり、
該外筐体１０の収納空間１２内に設けられた、移動可能なロック台２０が備わり、該ロック台２０は制御ヘッド２１とバー部２２を備えており、該バー部２２は縦向き槽室２２１があり、それにより、該バー部２２に二つのフレキシブル解放シート２３が形成されるが、二つの該フレキシブル解放シート２３は対称して該解放用溝１６に設けられており、
該フレキシブル解放シート２３の底部に設けられた突当て斜め縁２５が備わり、該突当て斜め縁２５は、該解放用溝１６の広い錐状斜端面１５に斜めに突当てており、
組込側部３１と針３２を有する針台３０が備わり、該組込側部３１は、該ロック台２０の縦向き槽室２２１に設けられており、
該ロック台２０の縦向き槽室２２１と針台３０の間に設けられた蓄圧フレキシブルリセットユニット４０が備わり、該蓄圧フレキシブルリセットユニット４０は通常、予圧型フレキシブルな蓄積状態となり、それにより、該蓄圧フレキシブルリセットユニット４０の弾力から解放されてから、該針台３０と連動し、内側へフレキシブルリセットする特性を持つように設けられており、
安全スイッチユニット５０が備わり、それにより、該ロック台２０が可動し、針３２が突き出し、該外筐体１０の針孔１３を通り、被採血者の皮膚を刺し込み、または、該ロック台２０を動作制限にするように設けられていることを特徴とする採血針構造。
【請求項２】
該安全スイッチユニット５０は、リミット槽５１と二つの嵌込みブロック５２があり、該リミット槽５１は該外筐体１０の内壁１１に設けられ、嵌込みブロック５２は該ロック台２０のバー部２２に設けられ、そして対向して該縦向き槽室２２１の壁面に設けられており、該リミット槽５１は縦向き凹溝５１１と環状凹溝５１２が設けられていることを特徴とする請求項１に記載の採血針構造。
【請求項３】
該リミット槽５１の環状凹溝５１２は、斜め横向きに設けられていることを特徴とする請求項２に記載の採血針構造。
【請求項４】
該ロック台２０の縦向き槽室２２１には、針台３０の組込側部３１を支持するための肩部２２３が設けられていることを特徴とする請求項１に記載の採血針構造。
【請求項５】
該外筐体１０の差込側部１４の外周とロック台２０の制御ヘッド２１はいずれも多角型断面形状となり、該外筐体１０の差込側部１４の外周とロック台２０の制御ヘッド２１が相互に合わせて、該針台３０を打ち待ちにさせるように設けられていることを特徴とする請求項１に記載の採血針構造。
【考案の詳細な説明】
【技術分野】
【０００１】
本考案は採血針に関わり、特に、構成部品のシンプル化と低コストと使用上の安全性を兼ね備えたオリジナルな採血針設計に関する。
【背景技術】
【０００２】
一般の採血針は主に、筐体、スプリング、針、押し棒から構成されているが、関連業者は針のバック力つまり戻し力を高めるために、押し棒と筐体の間に二つのフレキシブルシートを設ける。ところが、それにより、該採血針で採血を終えると、該針が筐体に収納されることになる。しかし、このように従来の採血針は、構成部品が多くて、コストが高いという欠点があった。
【０００３】
それに、一般の採血針を皮膚に刺し、採血するとき、あらかじめ針を引くが、すなわち、押し棒を打つ位置に押し、それから打つボタンを押して、針で刺して採血することになる。しかし、該押し棒は、不注意または他人の押しで、打つ位置に押される恐れがあり、その場合、予想外の打ちによる針刺しの事故が起こり、潜在的危険が存在するという問題点がある。
【考案の概要】
【考案が解決しようとする課題】
【０００４】
本考案は、採血針構造を提供することを目的とし、解決しようとする課題は、より理想的で実用性のある採血針構造を開発して、上述した課題を解決することを目的とする。
【課題を解決するための手段】
【０００５】
本考案の課題を解決するための技術特徴として、内壁を有する外筐体が備わり、その内部に収納空間があり、該収納空間の両側に相対して設けられた針孔と差込側部があり、広い錐状斜端面を有する解放用溝が備わり、該外筐体の内壁に内向きに突出した中通しコンベックスリング縁があり、該中通しコンベックスリング縁の近接した該外筐体の内壁に広い錐状斜端面が設けられており、それにより、該広い錐状斜端面と外筐体の内壁に解放用溝が形成されるようになり、該外筐体の収納空間内に設けられた、移動可能な一ロック台が備わり、該ロック台は、制御ヘッドとバー部を備えており、該バー部は縦向き槽室があり、それにより、該バー部に二つのフレキシブル解放シートが形成されるが、二つの該フレキシブル解放シートは対称して該解放用溝に設けられており、該フレキシブル解放シートの底部に設けられた突当て斜め縁が備わり、該突当て斜め縁は、該解放用溝の広い錐状斜端面に斜めに突当てており、組込側部と針を有する針台が備わり、該組込側部は、該ロック台の縦向き槽室に設けられており、該ロック台の縦向き槽室と針台の間に設けられた蓄圧フレキシブルリセットユニットが備わり、該蓄圧フレキシブルリセットユニットは通常、予圧型フレキシブルな蓄積状態となり、それにより、該蓄圧フレキシブルリセットユニットの弾力から解放されてから、該針台と連動し、内側へフレキシブルリセットする特性を持つように設けられており、安全スイッチユニットが備わり、それにより、該ロック台が可動し、針が突き出し、該外筐体の針孔を通り、被採血者の皮膚を刺し込み、または該ロック台を動作制限にするように設けられていることを特徴とする該採血針構造であり、このようなオリジナル設計により、本考案は従来の技術に比べると、次のような特色がある。
１．構成部品のシンプル化と低コストによる好適な産業経済効果があること。
２．採血針が簡単に打ち出さないという防止機能を持ち、使用上の安全性を確保するという特色があること。
３．採血針の使用状態を簡単に識別できるという特色があること。
【考案の効果】
【０００６】
本考案による効果向上の事実は次の通り。
１．本考案に掲示した  “採血針”  は、該外筐体の収納空間内に、広い錐状斜端面を有する解放用溝により、該ロック台のフレキシブル解放シートにある突当て斜め縁が斜めに突当てているというオリジナルな構造設計であり、本考案は［背景技術］の従来の知られている構造に比べて、該ロック台が該斜めに突当てて、該フレキシブル解放シートが外側へ広がり、該針台を打ち出し、採血するということになり、そこで、構成部品のシンプル化と低コストという好適な産業経済効果がある。
２．また、本考案は、該安全スイッチユニットの嵌込みブロックとリミット槽が対向して合わせる構造形態により、該採血針のロック台が可動し、該針が該外筐体の針孔にはみ出して採血し、または、該ロック台を活動制限にして、採血針が簡単に打ち出されないという防止機能を持ち、使用上の安全性を確保するという特色があること。
３．該外筐体の差込側部の外周とロック台の制御ヘッドはいずれも多角型断面形状となり、該外筐体の差込側部の外周とロック台の制御ヘッドが相互に合わせて、該針台を打ち待ち、または打ち制限にさせるようにして、使用者が肉眼だけで該採血針の使用状態が判別でき、採血針の使用状態を簡単に識別できるという特色があること。
【図面の簡単な説明】
【０００７】
【図１】本考案の好適な実施例の組合せ立体図。
【図２】本考案の好適な実施例の分解立体図。
【図３】本考案の好適な実施例の組合せ断面図。
【図４】本考案の好適な実施例の作動イメージ。
【図５】本考案のロック台が打ち待ち状態にある平面断面図。
【図６】本考案のロック台が活動制限にある平面断面図。
【図７】本考案の増設した針キットの実施例図。
【図８】本考案の環状凹溝が斜め横向きに設けられたイメージ。
【図９】本考案の針孔にリミット槽を設けた立体イメージ。
【考案を実施するための形態】
【０００８】
図１〜図４に示すのは、本考案の採血針構造の好適な実施例であり、これらの実施例は説明のみに用いられるもので、実用新案登録出願の際、これらの構造に制限されないとする。
【０００９】
本考案の採血針構造には、内壁１１を有する外筐体１０が備わり、その内部に収納空間１２があり、該収納空間１２の例えば図２における上下方向で示される軸方向の両側に相対して設けられた針孔１３と差込側部１４がある。  
加えて本考案の採血針構造には、広い錐状斜端面１５を有する解放用溝１６が備わり、該外筐体１０の内壁１１に内向きに（内周側かつ差込側部１４に向けて）突出した中通しコンベックスリング縁１７があり、該中通しコンベックスリング縁１７（中空突条リング縁）の近接した該外筐体１０の内壁１１に広い錐状斜端面１５が設けられており、それにより、該広い錐状斜端面１５と外筐体１０の内壁１１に解放用溝１６が形成されるようになる。
【００１０】
さらに、本考案の採血針構造には、該外筐体１０の収納空間１２内に設けられた、移動可能なロック台２０が備わり、該ロック台２０は、制御ヘッド２１とバー部２２を備えており、該バー部２２は縦向き槽室２２１（軸方向切欠部）があり、それにより、該バー部２２に二つのフレキシブル解放シート２３が形成されるが、二つの該フレキシブル解放シート２３は対称して該解放用溝１６に設けられている。
【００１１】
該フレキシブル解放シート２３の底部に設けられた突当て斜め縁２５が備わり、該突当て斜め縁２５は、該解放用溝１６の広い錐状斜端面１５に斜めに突当てており、それにより、二つの該フレキシブル解放シート２３は外向きに広がると、該針台３０が解放されて、該針３２が素早く下へ、該外筐体１０の針孔１３を通り、被採血者の皮膚を刺して、被採血者の皮膚に刺し口が出来て、そこで、医療従事者が被採血者の血液を採血する。
【００１２】
組込側部３１と針３２を有する針台３０が備わり、該組込側部３１は、該ロック台２０の縦向き槽室２２１に設けられている。
【００１３】
該ロック台２０の縦向き槽室２２１と針台３０の間に設けられた蓄圧フレキシブルリセットユニット４０が備わり、該蓄圧フレキシブルリセットユニット４０の片側は、針台３０の片側に設けられた嵌込側３３に嵌め込めており、該蓄圧フレキシブルリセットユニット４０は通常、予圧型フレキシブルな蓄積状態（予め付勢された状態）となり、それにより、該蓄圧フレキシブルリセットユニット４０の弾力から解放されてから、該針台３０と連動し、内側へフレキシブルリセットする特性を持つように設けられており、それにより、打たれた針３２が自動的に該ロック台２０の縦向き槽室２２１内に戻るようになる。
【００１４】
安全スイッチユニット５０が備わり、それにより、該ロック台２０が可動し、針３２が突き出し、該外筐体１０の針孔１３を通り、被採血者の皮膚を刺し込み、または、該ロック台２０を動作制限にするようにし、採血針Ａが簡単に打ち出されないように設けられること（図５）を特徴とする該採血針Ａ。
【００１５】
図５に示すように、該安全スイッチユニット５０は、リミット槽５１（ガイド溝）と二つの嵌込みブロック５２があり、該リミット槽５１は該外筐体１０の内壁１１に設けられ、嵌込みブロック５２は該ロック台２０のバー部２２に設けられ、そして対向して（相互に反対方向に指向して）該縦向き槽室２２１の外側の二つの外フレキシブル解放シート２３の壁面に設けられており、該リミット槽５１はおおよそＬ形となり、縦向き凹溝５１１（軸方向溝）と環状凹溝５１２（図８に示すように縦向き凹溝５１１に接近するにつれて周方向に対して差込側部１４に接近する方向に傾斜した溝、周方向傾斜溝）があり、また、該リミット槽５１の環状凹溝５１２は斜め横向きに設けられており（図８）、この実施例の針キット３４の底部は広がった方形体となり、該針キット３４の広がった方形体により、該針孔１３にあるリミット槽１３０（図９）に嵌め込められるが、それにより（制御ヘッド２１の周方向の回転操作に伴って）、該嵌込みブロック５２は環状凹溝５１２のルートに沿って斜め横向きに移動して、該針台３０を上へ上させ（図１〜３中上側に上昇させ）、該針キット３４から離すようにし、該針キット３４が素早く離れることとなり、それで、針キット３４を外しておく必要がなくて使用できる。
【００１６】
該蓄圧フレキシブルリセットユニット４０の両側がそれぞれ、該針台３０の嵌込側３３とロック台２０の制御ヘッド２１とは、縦向き槽室２２１にある凸柱２２２と連結している。
【００１７】
該ロック台２０の縦向き槽室２２１には、針台３０の組込側部３１を支持するための肩部２２３が設けられている。
【００１８】
該外筐体１０の差込側部１４の外周とロック台２０の制御ヘッド２１はいずれも多角型断面形状となり（図１参照）、該外筐体１０の差込側部１４の外周とロック台２０の制御ヘッド２１が相互に合わせて（打ち待ち、又は打ち制限に対応する周方向における相対位置で嵌め合わせて）、該針台３０を打ち待ち、または打ち制限にさせるようにして、使用者が肉眼だけで該採血針Ａの使用状態が判別できる。
【００１９】
図７に示すように、該針台３０の針３２の外部には針キット３４が嵌められ、該針キット３４は保護機能を形成するために、該外筐体１０の針孔１３から収納空間１２方向へ嵌め入れられ、しかも、該針孔１３にはみ出しているように設けられている。
【００２０】
上述の構造、組合せ設計により、本考案の実施時の作動状況は次のように説明する。
【００２１】
図３、図４に示すように、まず、使用者が該ロック台２０の制御ヘッド２１を（図３、４中下側に）押して、該ロック台２０のバー部２２（図２参照）を下へ動かし（図面方向から見た場合）、また、二つの該フレキシブル解放シート２３は該解放用溝１６に設けられているため、該二フレキシブル解放シート２３の突当て斜め縁２５と解放用溝１６の広い錐状斜端面１５は相互に斜めに合わせているが、それにより、二つの該フレキシブル解放シート２３が外側へ広がり、該針台３０の組込側部３１が該縦向き槽室２２１の肩部２２３から離れるようになるが、そこで、該蓄圧フレキシブルリセットユニット４０は、フレキシブル解放状態で、該針台３０の針３２を下へ打たせ、該針３２を針孔１３の外部へ伸ばし、被採血者の皮膚に刺し入れ、それから、該針台３０の針３２は、該蓄圧フレキシブルリセットユニット４０のフレキシブルのバック力つまり戻し力により、該針台３０と針３２を共に上へ動かし、該針３２をまた該外筐体１０の収納空間１２に納めることになる。
【００２２】
図５、図６に示すのは、安全スイッチユニット５０の開閉状態イメージであり、図５に示すように、該安全スイッチユニット５０の嵌込みブロック５２が対向してリミット槽５１の縦向き凹溝５１１にあるとき、  該ロック台２０は軸方向に可動できる状態となり、図６に示すように、該安全スイッチユニット５０の嵌込みブロック５２が対向してリミット槽５１の環状凹溝５１２にあるとき、該ロック台２０は軸方向に動作制限されることになり、それにより、該安全スイッチユニット５０で該採血針Ａに好適な安全機能を持たせ、該針３２が簡単に打ち出されないようにするという特色がある。
【符号の説明】
【００２３】
Ａ      採血針
１０    外筐体
１１    内壁
１２    収納空間
１３    針孔
１３０  リミット槽
１４    差込側部
１５    広い錐状斜端面
１６    解放用溝
１７    中通しコンベックスリング縁
２０    ロック台
２１    制御ヘッド
２２    バー部
２２１  縦向き槽室
２２２  凸柱
２２３  肩部
２３    フレキシブル解放シート
２５    突当て斜め縁
３０    針台
３１    組込側部
３２    針
３３    嵌込側
３４    針キット
４０    蓄圧フレキシブルリセットユニット
５０    安全スイッチユニット
５１    リミット槽
５１１  縦向き凹溝
５１２  環状凹溝
５２    嵌込みブロック 
【図１】
0003159463.tif 000003
【図２】
0003159463.tif 000004
【図３】
0003159463.tif 000005
【図４】
0003159463.tif 000006
【図５】
0003159463.tif 000007
【図６】
0003159463.tif 000008
【図７】
0003159463.tif 000009
【図８】
0003159463.tif 000010
【図９】
0003159463.tif 000011